(57)【要約】【課題】入賞口毎の賞球数の設定が異なる複数種類の遊技機で入賞口ユニットの一部を共通化すると共に入賞検出スイッチの個数を必要最小限にすることにより大幅なコストダウンが可能な弾球遊技機を提供する。【解決手段】入賞口ユニット１７の裏側に、遊技球を案内する一本の本線通路６２と、前側に設けられた複数の入賞口４４ａ〜４４ｄに入賞した遊技球を個別の流入口６３ａ〜６３ｄを介して本線通路６２に流入させる支線通路６４ａ〜６４ｄとを設け、各支線通路６４ａ〜６４ｄ上に夫々個別スイッチ装着部４９ａ〜４９ｄを、本線通路６２上の上流側から二つ目以降の各流入口６３ｂ〜６３ｄの下流側に夫々共通スイッチ装着部４９ｅ〜４９ｇを配置し、各入賞口４４ａ〜４４ｄに入賞した遊技球が何れかの入賞検出スイッチ４８により各一回検出されるようにスイッチ装着部４９ａ〜４９ｇの少なくとも一つに入賞検出スイッチ４８を装着したものである。【選択図】図５
2010063739.tif 000002
【特許請求の範囲】
【請求項１】
複数の入賞口（４４ａ〜４４ｄ）を有し且つ遊技盤（５）に着脱可能な入賞口ユニット（１７）を備え、該入賞口ユニット（１７）の裏側に、前記入賞口（４４ａ〜４４ｄ）に入賞して前記遊技盤（５）の裏側に案内された遊技球を検出する入賞検出スイッチ（４８）と、該入賞検出スイッチ（４８）を着脱自在に保持するスイッチ装着部（４９ａ〜４９ｇ）とを設けた弾球遊技機において、前記入賞口ユニット（１７）の裏側に、遊技球を上流側から下流側に案内する一本の本線通路（６２）と、前記各入賞口（４４ａ〜４４ｄ）に対応して設けられ且つ前記入賞口（４４ａ〜４４ｄ）に入賞した遊技球を個別の流入口（６３ａ〜６３ｄ）を介して前記本線通路（６２）に流入させる支線通路（６４ａ〜６４ｄ）とを設け、前記スイッチ装着部（４９ａ〜４９ｇ）として、前記各支線通路（６４ａ〜６４ｄ）上に配置される個別スイッチ装着部（４９ａ〜４９ｄ）と、前記本線通路（６２）上であって上流側から二つ目以降の前記各流入口（６３ｂ〜６３ｄ）の下流側に配置される１又は複数の共通スイッチ装着部（４９ｅ〜４９ｇ）とを設け、前記各入賞口（４４ａ〜４４ｄ）に入賞した遊技球が何れかの前記入賞検出スイッチ（４８）により各一回検出されるように、前記スイッチ装着部（４９ａ〜４９ｇ）のうちの少なくとも一つに前記入賞検出スイッチ（４８）を装着したことを特徴とする弾球遊技機。
【請求項２】
前記スイッチ装着部（４９ａ〜４９ｇ）のうち、全ての前記個別スイッチ装着部（４９ａ〜４９ｄ）にのみ、又は前記共通スイッチ装着部（４９ｅ〜４９ｇ）のうちの何れか一つとそれよりも下流側に前記個別スイッチ装着部（４９ａ〜４９ｄ）が存在する場合にはそれらの全てとにのみ前記入賞検出スイッチ（４８）を装着したことを特徴とする請求項１に記載の弾球遊技機。
【請求項３】
前記入賞口ユニット（１７）は、後部材（４２）と、この後部材（４２）の前側にその前面側を略被うように着脱自在に装着される前部材（４１）とを備え、前記本線通路（６２）、前記支線通路（６４ａ〜６４ｄ）、前記スイッチ装着部（４９ａ〜４９ｇ）を前記後部材（４２）に設けたことを特徴とする請求項１又は２に記載の弾球遊技機。
【請求項４】
前記前部材（４１）に、所定の前記スイッチ装着部（４９ａ〜４９ｇ）に対応して設けられ且つ前記入賞検出スイッチ（４８）の装着を阻止する装着阻止部（５０）を設け、その装着阻止部（５０）が配置されていない前記スイッチ装着部（４９ａ〜４９ｇ）に前記入賞検出スイッチ（４８）を装着したことを特徴とする請求項３に記載の弾球遊技機。
【請求項５】
前記入賞口ユニット（１７）は、前記遊技盤（５）の前側に配置されるガイドレール（１２ｂ）に沿ってその内側に配置され、前記遊技盤（５）に形成された装着孔（３４）に前側から着脱自在に装着されていることを特徴とする請求項１〜４の何れかに記載の弾球遊技機。
【発明の詳細な説明】
【技術分野】
【０００１】
本発明は、複数の入賞口を有する入賞口ユニットを搭載した弾球遊技機に関するものである。
【背景技術】
【０００２】
パチンコ機等の弾球遊技機では、遊技領域内に複数の入賞口、画像表示手段、ランプ等の遊技部品が配置されているが、これらの遊技部品は例えば適当な組み合わせでユニット化されて遊技盤に装着されている場合が多い。
【０００３】
このようなユニット部品の中には、例えば複数の入賞口が搭載された入賞口ユニットがある。この入賞口ユニットには、各入賞口に入賞した遊技球を検出する入賞検出スイッチが搭載されるが、この入賞検出スイッチは、全ての入賞口に対して１個ずつ配置される場合が多い（例えば特許文献１）。
【特許文献１】特開２００７−２５２４９３号公報
【発明の開示】
【発明が解決しようとする課題】
【０００４】
特許文献１に記載された入賞口ユニットのように、全ての入賞口に対して１個ずつ入賞検出スイッチを配置する場合には、入賞口毎の賞球数の設定が異なる機種であっても入賞口ユニットを共通化できるというコストダウン要因がある反面、入賞検出スイッチの数が多いというコストアップ要因も存在する。
【０００５】
一方、入賞検出スイッチを全ての入賞口に対して１個ずつ配置するのではなく、賞球数が同じ入賞口が複数ある場合にはそれらに共通の入賞検出スイッチを設けることが考えられるが、この場合には遊技機毎に入賞検出スイッチの数を必要最小限に抑えられるというコストダウン要因がある反面、機種毎に入賞口ユニットを共通化できないというコストアップ要因も存在する。
【０００６】
このように、いずれの場合も一長一短があるため、従来は入賞口ユニットに関するコストを大幅に削減することはできなかった。
【０００７】
本発明は、上記事情に鑑みてなされたものであり、その目的とするところは、入賞口毎の賞球数の設定が異なる複数種類の遊技機で入賞口ユニットの一部を共通化すると共に入賞検出スイッチの個数を必要最小限にすることにより大幅なコストダウンが可能な弾球遊技機を提供することにある。
【課題を解決するための手段】
【０００８】
本発明は、複数の入賞口４４ａ〜４４ｄを有し且つ遊技盤５に着脱可能な入賞口ユニット１７を備え、該入賞口ユニット１７の裏側に、前記入賞口４４ａ〜４４ｄに入賞して前記遊技盤５の裏側に案内された遊技球を検出する入賞検出スイッチ４８と、該入賞検出スイッチ４８を着脱自在に保持するスイッチ装着部４９ａ〜４９ｇとを設けた弾球遊技機において、前記入賞口ユニット１７の裏側に、遊技球を上流側から下流側に案内する一本の本線通路６２と、前記各入賞口４４ａ〜４４ｄに対応して設けられ且つ前記入賞口４４ａ〜４４ｄに入賞した遊技球を個別の流入口６３ａ〜６３ｄを介して前記本線通路６２に流入させる支線通路６４ａ〜６４ｄとを設け、前記スイッチ装着部４９ａ〜４９ｇとして、前記各支線通路６４ａ〜６４ｄ上に配置される個別スイッチ装着部４９ａ〜４９ｄと、前記本線通路６２上であって上流側から二つ目以降の前記各流入口６３ｂ〜６３ｄの下流側に配置される１又は複数の共通スイッチ装着部４９ｅ〜４９ｇとを設け、前記各入賞口４４ａ〜４４ｄに入賞した遊技球が何れかの前記入賞検出スイッチ４８により各一回検出されるように、前記スイッチ装着部４９ａ〜４９ｇのうちの少なくとも一つに前記入賞検出スイッチ４８を装着したものである。
【発明の効果】
【０００９】
本発明によれば、普通入賞口４４ａ〜４４ｄ毎の賞球数の設定が異なる複数種類の遊技機で入賞口ユニット１７の少なくとも一部を共通化しつつ入賞検出スイッチ４８の個数を必要最小限にすることができ、大幅なコストダウンが可能である。
【発明を実施するための最良の形態】
【００１０】
以下、本発明の実施形態を図面に基づいて詳述する。図１〜図１３は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１１】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１２】
遊技盤５の前側には、図２に示すように、発射手段により発射された遊技球を案内するガイドレール１２が略環状に配置されており、そのガイドレール１２内の遊技領域５ａには、表示ユニット１３、ゲートユニット１４、開閉入賞口ユニット１５、大入賞口ユニット１６、普通入賞口ユニット（入賞口ユニット）１７等の遊技部品が着脱自在に装着されている。
【００１３】
ガイドレール１２は、例えば金属板により形成され、遊技盤５の前面側に立設されている。ガイドレール１２は、外レール１２ａとその内側の内レール１２ｂとが一部内外に重なるように配置されており、それら外レール１２ａと内レール１２ｂとの間に、発射手段により発射された遊技球を遊技領域５ａに案内する案内通路１８が形成されている。
【００１４】
表示ユニット１３は、遊技領域５ａの略中央に配置され、例えば遊技盤５の裏側に装着される液晶表示手段２１と、液晶表示手段２１用の表示窓２２を備え且つ遊技盤５に設けられた表示ユニット装着孔（図示省略）に前側から着脱自在に装着される表示枠体２３とを備えている。液晶表示手段２１には、例えば普通図柄、特別図柄等の図柄変動の他、各種演出画像が表示される。
【００１５】
ゲートユニット１４は、普通図柄の始動手段を構成するもので、例えば表示ユニット１３の左側に配置されており、遊技球が通過可能な通過ゲート２４と、この通過ゲート２４を通過する遊技球を検出する通過検出スイッチ２５とを備えている。このゲートユニット１４は、遊技盤５に設けられたゲートユニット装着孔（図示省略）に対して前側から着脱自在に装着され、ねじ止め等により遊技盤５の前面側に固定されている。
【００１６】
開閉入賞口ユニット１５は、特別図柄の始動手段を構成するもので、例えば表示ユニット１３の下側に配置されており、遊技球が入賞可能な上部入賞口２６及び下部入賞口２７と、前後軸廻りに揺動可能に設けられ且つ下部入賞口２７を開閉する左右一対の開閉爪２８と、入賞口２６，２７に入賞した遊技球を検出する入賞検出スイッチ２９，３０とを備えている。この開閉入賞口ユニット１５は、遊技盤５に設けられた開閉入賞口ユニット装着孔（図示省略）に対して前側から着脱自在に装着され、ねじ止め等により遊技盤５の前面側に固定されている。
【００１７】
大入賞口ユニット１６は、特別図柄が大当たりとなった場合に開放するアタッカーを構成するもので、例えば開閉入賞口ユニット１５の下側に配置されており、遊技球が入賞可能な大入賞口３１と、下部側の横軸廻りに揺動可能に設けられ且つ大入賞口３１を開閉する開閉板３２と、大入賞口３１に入賞した遊技球を検出する入賞検出スイッチ３３とを備えている。この大入賞口ユニット１６は、遊技盤５に設けられた大入賞口ユニット装着孔（図示省略）に対して前側から着脱自在に装着され、ねじ止め等により遊技盤５の前面側に固定されている。
【００１８】
普通入賞口ユニット１７は、普通入賞手段としての機能とサイドランプとしての機能とを併せ持つもので、例えば大入賞口ユニット１６の左側で内レール１２ｂの内側に沿って配置されており、例えば図３に示すように、遊技盤５に内レール１２ｂに沿って形成された普通入賞口ユニット装着孔（装着孔）３４に対して前側から着脱自在に装着され、ねじ止め等により遊技盤５の前面側に固定されている。
【００１９】
普通入賞口ユニット１７は、図３〜図９に示すように、前側の前ケース（前部材）４１とその後側の後カバー（後部材）４２とで構成され且つ内レール１２ｂの内側に沿って略円弧状に形成された本体４３と、内レール１２ｂに沿って本体４３の前側に上部側から一列状に複数、例えば四個配置される第１〜第４普通入賞口（入賞口）４４ａ〜４４ｄと、同じく本体４３の前側に配置される前通路カバー４５と、本体４３の内部に配置され且つその前面側に多数のＬＥＤが装着されたＬＥＤ基板４６と、第１〜第４普通入賞口４４ａ〜４４ｄに入賞した遊技球を遊技盤５の後側で下流側に流下させる流下案内通路４７と、この流下案内通路４７上に設けられ且つ入賞検出スイッチ４８を着脱自在に保持可能な１又は複数、例えば七個のスイッチ装着部４９ａ〜４９ｇと、それらスイッチ装着部４９ａ〜４９ｇのうちの幾つかに対応して設けられ且つ入賞検出スイッチ４８の装着を阻止する装着阻止部５０とを備えている。
【００２０】
本体４３の前部を構成する前ケース４１は、普通入賞口ユニット装着孔３４を前側から塞ぐように遊技盤５の前面側に沿って配置される前面当接板５１と、普通入賞口ユニット装着孔３４の内周面に沿って前面当接板５１の裏側に後ろ向き突出状に設けられる嵌合壁５２とを一体に備え、嵌合壁５２を普通入賞口ユニット装着孔３４に前側から嵌合させ、前面当接板５１を遊技盤５の前面側に当接させた状態で、ねじ止め等により遊技盤５の前面側に着脱自在に固定されている。
【００２１】
前面当接板５１は、その外周部が嵌合壁５２よりも外側に張り出す鍔部５１ａとなっており、この鍔部５１ａが普通入賞口ユニット装着孔３４の外側で遊技盤５の前面側に当接するようになっている。また、前面当接板５１は、少なくともその一部、例えば嵌合壁５２よりも内側の部分が、後側のＬＥＤ基板４６からの光を受けて乱反射させる発光レンズ部５３となっている。
【００２２】
更に、前面当接板５１には、複数、例えば四個の第１〜第４球流入孔５４ａ〜５４ｄが上部側から略等間隔で一列状に配置されており、これら第１〜第４球流入孔５４ａ〜５４ｄの前側に夫々第１〜第４普通入賞口４４ａ〜４４ｄが配置されている。第１〜第４球流入孔５４ａ〜５４ｄは、遊技球略一個分の大きさで前後方向貫通状に形成されている。更に、前面当接板５１の前面側には、その上端部近傍に、遊技球を遊技領域５ａの内側に向けて案内する傾斜案内板５５が、内レール１２ｂに沿う外縁側から内縁側に向けて傾斜状に配置されている。
【００２３】
嵌合壁５２は、普通入賞口ユニット装着孔３４の内周面の略全周に対応して設けられており、その内側に、第１〜第４球流入孔５４ａ〜５４ｄに流入した遊技球を後ろ向きに案内する樋状の第１〜第４後方案内通路５６ａ〜５６ｄが、第１〜第４球流入孔５４ａ〜５４ｄの後側に対応して前面当接板５１の裏側に後ろ向き突出状に一体形成されている。また、嵌合壁５２の後端側にはＬＥＤ基板４６が配置されており、嵌合壁５２の内側で且つ第１〜第４後方案内通路５６ａ〜５６ｄの外側の領域はＬＥＤ基板４６から発せられた光を発光レンズ部５３側に導く導光空間となっている。
【００２４】
第１〜第４普通入賞口４４ａ〜４４ｄは、前面当接板５１の前側にねじ止め等により着脱自在に装着される第１〜第４入賞口部材５７ａ〜５７ｄ上に、例えば上向きに開放する樋状に形成されており、入賞した遊技球を後ろ向きに案内して第１〜第４球流入孔５４ａ〜５４ｄに流入させるようになっている。
【００２５】
前通路カバー４５は、第１〜第４入賞口部材５７ａ〜５７ｄと内レール１２ｂとの間の空間を前側から遊技球通過可能に覆うもので、例えば傾斜案内板５５の下側で内レール１２ｂの内面に沿って配置される底壁５８と、この底壁５８の前縁側から遊技領域５ａの内側に向けて延設される前壁５９とを一体に備え、底壁５８の後端側を前面当接板５１の外縁側に沿わせた状態で前面当接板５１にねじ止め等により着脱自在に固定されている。
【００２６】
後カバー４２は、前ケース４１の嵌合壁５２の内側を後側から略塞ぐ蓋部材で、ねじ止め等により前ケース４１に着脱自在に固定されており、その背面側に流下案内通路４７、スイッチ装着部４９ａ〜４９ｇが設けられている。なお、普通入賞口ユニット１７を普通入賞口ユニット装着孔３４に前側から装着したとき、この後カバー４２の背面側が遊技盤５の背面と略面一になるように構成されている（図７〜図９参照）。
【００２７】
また、後カバー４２には、各普通入賞口４４ａ〜４４ｄに対応する複数、例えば四つの第１〜第４球流出孔６１ａ〜６１ｄ（図４，図７参照）が前後方向貫通状に形成されており、第１〜第４普通入賞口４４ａ〜４４ｄに入賞し、第１〜第４球流入孔５４ａ〜５４ｄ及び第１〜第４後方案内通路５６ａ〜５６ｄを経て遊技盤５の後側に案内されてきた遊技球を流下案内通路４７内に流下させるようになっている。
【００２８】
流下案内通路４７は、後カバー４２の背面に沿って配置されており、図５，図６等に示すように、内レール１２ｂに沿って例えば略円弧状に配置され且つ遊技球を上流側（上部側）から下流側（下部側）に案内する一本の本線通路６２と、第１〜第４普通入賞口４４ａ〜４４ｄに対応して設けられ且つ第１〜第４普通入賞口４４ａ〜４４ｄに入賞した遊技球を個別の第１〜第４流入口６３ａ〜６３ｄを介して本線通路６２に流入させる第１〜第４支線通路６４ａ〜６４ｄとを備えている。
【００２９】
本線通路６２には、その下流側端部に一つの流出口６５が例えば内レール１２ｂに沿って略下向きに形成され、また上流側端部には最上流側の普通入賞口４４ａに対応する第１流入口６３ａが略上向きに形成され、更にそれら第１流入口６３ａと流出口６５との間に、上流側から二つ目以降の第１〜第４普通入賞口４４ｂ〜４４ｄに対応する第２〜第４流入口６３ｂ〜６３ｄが夫々略上向きに形成されている。また、第１〜第４支線通路６４ａ〜６４ｄは、第１〜第４球流出孔６１ａ〜６１ｄと第１〜第４流入口６３ａ〜６３ｄとを夫々接続するように例えば略上下方向に配置されている。
【００３０】
なお、本実施形態では、図４に示すように、流下案内通路４７の側壁６６ａを後カバー４２に一体に設け、流下案内通路４７の後側を閉鎖する背壁６６ｂを後カバー４２に対して着脱自在に固定するように構成したが、例えば流下案内通路４７の略全体を後カバー４２に対して着脱可能としてもよいし、流下案内通路４７の略全体を後カバー４２に一体に形成してもよい。
【００３１】
スイッチ装着部４９ａ〜４９ｇは、第１〜第４普通入賞口４４ａ〜４４ｄに個別に対応するように第１〜第４支線通路６４ａ〜６４ｄ上に夫々配置される第１〜第４個別スイッチ装着部４９ａ〜４９ｄと、本線通路６２上であって上流側から二つ目以降の第２〜第４流入口６３ｂ〜６３ｄの各下流側（下流側に更に流入口が存在する場合にはそれよりも上流側）に夫々配置される第１〜第３共通スイッチ装着部４９ｅ〜４９ｇとで構成されている。
【００３２】
各スイッチ装着部４９ａ〜４９ｇは、例えば各通路の幅方向両側に対応して配置される一対の装着レール７１，７２と、それら一対の装着レール７１，７２の少なくとも一方、例えば装着レール７１側に一体に設けられる固定爪７３とで構成されている。ここで、スイッチ装着部４９ａ〜４９ｇに装着される入賞検出スイッチ４８は、例えば磁気感応型の近接スイッチにより構成され、貫通状の検出孔７４を先端側に備えており、遊技球が検出孔７４を通過する際にその通過を検出して検出信号を出力するようになっている。
【００３３】
装着レール７１，７２は、例えば入賞検出スイッチ４８の側縁部を前後方向摺動自在に保持可能な断面略コの字状で、後カバー４２の背面側に後ろ向き突出状に一体形成されており、入賞検出スイッチ４８を後側から抜き差し可能となっている。固定爪７３は、例えば装着レール７１の後端側に弾性変形可能に一体形成されており、図８等に示すように、装着レール７１，７２に装着された入賞検出スイッチ４８の後端側に係脱自在に係合して入賞検出スイッチ４８の抜けを阻止するようになっている。
【００３４】
なお、各スイッチ装着部４９ａ〜４９ｇは、入賞検出スイッチ４８が装着されていない状態では流下案内通路４７の一部を構成し、流下案内通路４７に沿って流下する遊技球の通過を許容するようになっている。
【００３５】
ここで、普通入賞口ユニット１７には第１〜第４普通入賞口４４ａ〜４４ｄの数よりも多いスイッチ装着部４９ａ〜４９ｇが設けられているが、これらの全てに入賞検出スイッチ４８が装着されるわけではなく、各普通入賞口４４ａ〜４４ｄに対応する賞球個数の設定等に応じて特定のスイッチ装着部４９ａ〜４９ｇにのみ入賞検出スイッチ４８が装着されるようになっている。
【００３６】
本実施形態では、最上流側から連続する二つの第１，第２普通入賞口４４ａ，４４ｂの賞球数が同じであり、図１０等に示すように、それら二つの第１，第２普通入賞口４４ａ，４４ｂのうちの最下流側の第２普通入賞口４４ｂに対応する第２流入口６３ｂの下流側近傍に設けられた一つの第１共通スイッチ装着部４９ｅと、それよりも下流側の全ての第３，第４個別スイッチ装着部４９ｃ、４９ｄとの三箇所にのみ入賞検出スイッチ４８が装着され、それ以外のスイッチ装着部４９ａ，４９ｂ，４９ｆ，４９ｇには入賞検出スイッチ４８は装着されていない。
【００３７】
これにより、賞球数が同じ二つの第１，第２普通入賞口４４ａ，４４ｂに入賞した遊技球は第１共通スイッチ装着部４９ｅに装着された一つの入賞検出スイッチ４８で検出され、他の第３，第４普通入賞口４４ｃ、４４ｄに入賞した遊技球は第３，第４個別スイッチ装着部４９ｃ，４９ｄに装着された二つの入賞検出スイッチ４８により夫々検出される。このように、四つの第１〜第４普通入賞口４４ａ〜４４ｄに対して入賞検出スイッチ４８の数を三つにすることができ、第１〜第４普通入賞口４４ａ〜４４ｄの全てに個別に入賞検出スイッチ４８を設けるよりも入賞検出スイッチ４８の個数を少なくできる。
【００３８】
第１〜第４普通入賞口４４ａ〜４４ｄに関する賞球数の設定が本実施形態と異なる場合には、夫々以下のように入賞検出スイッチ４８を配置すればよい。即ち、例えば最上流側から連続する三つの第１〜第３普通入賞口４４ａ〜４４ｃの賞球数が同じ場合には、図１１に示すように、それら三つの第１〜第３普通入賞口４４ａ〜４４ｃのうちの最下流側の第３普通入賞口４４ｃに対応する第３流入口６３ｃの下流側近傍に設けられた一つの第２共通スイッチ装着部４９ｆと、それよりも下流側の全て（ここでは一つ）の第４個別スイッチ装着部４９ｄとの二箇所にのみ入賞検出スイッチ４８を装着すればよい。
【００３９】
この場合、賞球数が同じ三つの第１〜第３普通入賞口４４ａ〜４４ｃに入賞した遊技球は第２共通スイッチ装着部４９ｆに装着された一つの入賞検出スイッチ４８で検出され、他の第４普通入賞口４４ｄに入賞した遊技球は第４個別スイッチ装着部４９ｄに装着された入賞検出スイッチ４８により検出される。このように、四つの第１〜第４普通入賞口４４ａ〜４４ｄに対して入賞検出スイッチ４８の数を二つにすることができ、第１〜第４普通入賞口４４ａ〜４４ｄの全てに個別に入賞検出スイッチ４８を設けるよりも入賞検出スイッチ４８の個数を少なくできる。
【００４０】
また例えば、第１〜第４普通入賞口４４ａ〜４４ｄの賞球数が全て同じ場合には、図１２に示すように、最下流側の第４普通入賞口４４ｄに対応する第４流入口６３ｄの下流側近傍に設けられた一つの第３共通スイッチ装着部４９ｇの一箇所にのみ入賞検出スイッチ４８を装着すればよい。この場合、第１〜第４普通入賞口４４ａ〜４４ｄに入賞した遊技球は全て第３共通スイッチ装着部４９ｇに装着された一つの入賞検出スイッチ４８で検出される。このように、四つの第１〜第４普通入賞口４４ａ〜４４ｄに対して入賞検出スイッチ４８の数を一つにすることができ、第１〜第４普通入賞口４４ａ〜４４ｄの全てに個別に入賞検出スイッチ４８を設けるよりも入賞検出スイッチ４８の個数を少なくできる。
【００４１】
以上のように、第１〜第４普通入賞口４４ａ〜４４ｄのうち、最上流側の第１普通入賞口４４ａから連続する複数個の普通入賞口の賞球数が同じ場合には、それら賞球数が同じ複数個の普通入賞口のうちの最下流側の普通入賞口に対応する流入口の下流側近傍に設けられた一つの共通スイッチ装着部と、それよりも下流側の全ての個別スイッチ装着部とにのみ入賞検出スイッチ４８を装着すればよいため、第１〜第４普通入賞口４４ａ〜４４ｄの全てに個別に入賞検出スイッチ４８を設けるよりも入賞検出スイッチ４８の個数を少なくできる。
【００４２】
なお、それ以外の場合、即ち例えば第１〜第４普通入賞口４４ａ〜４４ｄの全てにおいて賞球数が互いに異なる場合等、少なくとも上流側の二つの第１，第２普通入賞口４４ａ，４４ｂの賞球数が互いに異なる場合には、図１３に示すように第１〜第４個別スイッチ装着部４９ａ〜４９ｄにのみ入賞検出スイッチ４８を装着すればよい。
【００４３】
装着阻止部５０は、入賞検出スイッチ４８を装着しないスイッチ装着部４９ａ〜４９ｇへの入賞検出スイッチ４８の装着を物理的に阻止することにより、入賞検出スイッチ４８の誤装着を防止するためのもので、例えば図４に示すように、入賞検出スイッチ４８を装着しないスイッチ装着部４９ａ〜４９ｇに対応して例えば前ケース４１側に設けられている。
【００４４】
本実施形態では、第１共通スイッチ装着部４９ｅと第３，第４個別スイッチ装着部４９ｃ，４９ｄとの三箇所にのみ入賞検出スイッチ４８が装着され、それ以外のスイッチ装着部４９ａ，４９ｂ，４９ｆ，４９ｇには入賞検出スイッチ４８は装着されないため、それら入賞検出スイッチ４８が装着されない四つのスイッチ装着部４９ａ，４９ｂ，４９ｆ，４９ｇに対応して装着阻止部５０が設けられている。
【００４５】
装着阻止部５０は、図４，図６，図７，図９等に示すように、例えば前ケース４１側の後方案内通路５６ａ〜５６ｄの近傍から後ろ向き突出状に一体形成されており、後カバー４２を前ケース４１に装着したとき、後カバー４２に設けられた挿通孔７５を介してスイッチ装着部４９ａ〜４９ｇ内に突出するようになっている。なお、挿通孔７５は全てのスイッチ装着部４９ａ〜４９ｇに対応して設けられている。
【００４６】
本実施形態では、固定爪７３を形成するために後カバー４２上に必然的に生じた型抜き孔を挿通孔７５とし、これに対応して装着阻止部５０を設け、この装着阻止部５０が挿通孔７５を介して装着レール７１の溝を埋めることにより、入賞検出スイッチ４８の装着を阻止するようになっている。またこのように構成することにより、装着阻止部５０が、流下案内通路４７に沿って流下する遊技球の障害となることもない。
【００４７】
またこのように装着阻止部５０を前ケース４１側に設けたことにより、入賞検出スイッチ４８の装着パターンに応じて機種毎に前ケース４１を専用に形成すれば、入賞検出スイッチ４８の装着パターンの異なる機種間でも少なくとも後カバー４２側を共通化することができる。なお、前ケース４１を機種毎に専用に設ければ、その前面側のデザインを各機種毎に変更することも容易である。
【００４８】
以上説明したように、本実施形態のパチンコ機は、普通入賞口ユニット１７の裏側に、遊技球を上流側から下流側に案内する一本の本線通路６２と、各普通入賞口４４ａ〜４４ｄに対応して設けられ且つ普通入賞口４４ａ〜４４ｄに入賞した遊技球を個別の流入口６３ａ〜６３ｄを介して本線通路６２に流入させる支線通路６４ａ〜６４ｄとを設け、スイッチ装着部４９ａ〜４９ｇとして、各支線通路６４ａ〜６４ｄ上に配置される個別スイッチ装着部４９ａ〜４９ｄと、本線通路６２上であって上流側から二つ目以降の各流入口６３ｂ〜６３ｄの下流側に配置される１又は複数の共通スイッチ装着部４９ｅ〜４９ｇとを設け、各普通入賞口４４ａ〜４４ｄの賞球数の設定等に応じて、各普通入賞口４４ａ〜４４ｄに入賞した遊技球が何れかの入賞検出スイッチ４８により各一回検出されるように、前記スイッチ装着部４９ａ〜４９ｇのうちの少なくとも一つ、例えばスイッチ装着部４９ａ〜４９ｇのうち、共通スイッチ装着部４９ｅ〜４９ｇのうちの何れか一つとそれよりも下流側に個別スイッチ装着部４９ａ〜４９ｄが存在する場合の全てとにのみ、又は全ての個別スイッチ装着部４９ａ〜４９ｄにのみ入賞検出スイッチ４８を装着しているため、普通入賞口４４ａ〜４４ｄ毎の賞球数の設定が異なる複数種類の遊技機で普通入賞口ユニット１７の少なくとも一部を共通化しつつ入賞検出スイッチ４８の個数を必要最小限にすることができ、大幅なコストダウンが可能である。
【００４９】
また、普通入賞口ユニット１７は、後カバー４２と、この後カバー４２の前側にその前面側を略被うように着脱自在に装着される前ケース４１とを備え、本線通路６２、支線通路６４ａ〜６４ｄ、スイッチ装着部４９ａ〜４９ｇを後カバー４２に設けているため、少なくとも後カバー４２側については複数種類の遊技機で共通に用いることができる。
【００５０】
前ケース４１に、入賞検出スイッチ４８を装着しない例えばスイッチ装着部４９ａ，４９ｂ，４９ｆ，４９ｇに対応して設けられ且つ入賞検出スイッチ４８の装着を阻止する装着阻止部５０を設け、その装着阻止部５０が配置されていない例えばスイッチ装着部４９ｃ〜４９ｅに入賞検出スイッチ４８を装着しているため、入賞検出スイッチ４８を装着してはいけないスイッチ装着部に誤って入賞検出スイッチ４８を装着してしまうミスを未然に防止できる利点がある。しかも、装着阻止部５０を前ケース４１に設けていることにより、前ケース４１側のみを各機種に専用の部品として後カバー４２側を共通化できる利点がある。
【００５１】
また、普通入賞口ユニット１７は、遊技盤５の前側に配置される内レール１２ｂに沿ってその内側に配置され、遊技盤５に形成された普通入賞口ユニット装着孔３４に前側から着脱自在に装着されているため、普通入賞口ユニット１７を一体として遊技盤５に前側から着脱可能とするためには、流下案内通路４７等を普通入賞口ユニット装着孔３４よりも外側、特に内レール１２ｂ側に張り出すように配置することは許されないが、上記のような構成とすることでこのような制約条件を容易に満足させることができる。
【００５２】
以上、本発明の実施形態について詳述したが、本発明はこれらの実施形態に限定されるものではなく、本発明の趣旨を逸脱しない範囲で種々の変更が可能である。例えば、入賞口ユニット１７上の入賞口の数は二個以上であればよい。例えば二つの入賞口４４ａ，４４ｂを設けた場合には、各入賞口４４ａ，４４ｂに対応する二つの個別スイッチ装着部と一つの共通スイッチ装着部とを設け、入賞口４４ａ，４４ｂの賞球数が異なる場合には二つの個別スイッチ装着部にのみ、賞球数が同じ場合には一つの共通スイッチ装着部にのみ入賞検出スイッチ４８を装着すればよい。また入賞口ユニット１７上の複数の入賞口の配置位置は任意である。
【００５３】
装着阻止部５０は、スイッチ装着部４９ａ〜４９ｇへの入賞検出スイッチ４８の装着を阻止し且つ流下案内通路４７内の遊技球の流下を阻害しないものであればどのような位置にどのような形状で設けてもよい。また、装着阻止部５０は省略してもよい。この場合には前ケース４１側も含めて入賞口ユニット１７全体を異なる機種で共通に用いることも可能である。
【００５４】
入賞口ユニット１７上に設けた全ての入賞口を流下案内通路４７に接続する必要はなく、二以上の入賞口が流下案内通路４７に接続されていれば、例えばそれ以外の入賞口は流下案内通路４７とは別の通路を介して遊技盤５の裏側に案内するように構成してもよい。
【００５５】
また、実施形態では本発明をパチンコ機に適用した例を示したが、アレンジボール機等の他の弾球遊技機においても同様に実施可能であることは言うまでもない。
【図面の簡単な説明】
【００５６】
【図１】本発明の一実施形態を示すパチンコ機の全体斜視図である。
【図２】遊技盤の正面図である。
【図３】普通入賞口ユニットの斜視図である。
【図４】普通入賞口ユニットの分解斜視図である。
【図５】普通入賞口ユニットの背面図である。
【図６】普通入賞口ユニットの要部背面断面図である。
【図７】普通入賞口ユニットの第１個別スイッチ装着部における側面断面図である。
【図８】普通入賞口ユニットの第３個別スイッチ装着部における平面断面図である。
【図９】普通入賞口ユニットの第１個別スイッチ装着部における平面断面図である。
【図１０】本実施形態における入賞検出スイッチの配置パターンを示す説明図である。
【図１１】入賞検出スイッチのその他の配置パターンを示す説明図である。
【図１２】入賞検出スイッチのその他の配置パターンを示す説明図である。
【図１３】入賞検出スイッチのその他の配置パターンを示す説明図である。
【符号の説明】
【００５７】
５    遊技盤
１２ｂ  内レール（ガイドレール）
１７    普通入賞口ユニット（入賞口ユニット）
３４    普通入賞口ユニット装着孔（装着孔）
４１    前ケース（前部材）
４２    後カバー（後部材）
４４ａ  第１普通入賞口（入賞口）
４４ｂ  第２普通入賞口（入賞口）
４４ｃ  第３普通入賞口（入賞口）
４４ｄ  第４普通入賞口（入賞口）
４８    入賞検出スイッチ
４９ａ  第１個別スイッチ装着部（個別スイッチ装着部）
４９ｂ  第２個別スイッチ装着部（個別スイッチ装着部）
４９ｃ  第３個別スイッチ装着部（個別スイッチ装着部）
４９ｄ  第４個別スイッチ装着部（個別スイッチ装着部）
４９ｅ  第１共通スイッチ装着部（共通スイッチ装着部）
４９ｆ  第２共通スイッチ装着部（共通スイッチ装着部）
４９ｇ  第３共通スイッチ装着部（共通スイッチ装着部）
５０    装着阻止部
６２    本線通路
６３ａ  第１流入口（流入口）
６３ｂ  第２流入口（流入口）
６３ｃ  第３流入口（流入口）
６３ｄ  第４流入口（流入口）
６４ａ  第１支線通路（支線通路）
６４ｂ  第２支線通路（支線通路）
６４ｃ  第３支線通路（支線通路）
６４ｄ  第４支線通路（支線通路）
【図１】
2010063739.tif 000003
【図２】
2010063739.tif 000004
【図３】
2010063739.tif 000005
【図４】
2010063739.tif 000006
【図５】
2010063739.tif 000007
【図６】
2010063739.tif 000008
【図７】
2010063739.tif 000009
【図８】
2010063739.tif 000010
【図９】
2010063739.tif 000011
【図１０】
2010063739.tif 000012
【図１１】
2010063739.tif 000013
【図１２】
2010063739.tif 000014
【図１３】
2010063739.tif 000015